(57)【要約】      （修正有）【課題】コンタクタ（パッキング）への供給については、液体の良好な送達と分配を保証する、ディストリビュータトレイとして使用できる交換トレイの提供。【解決手段】気体ＬＧと液体Ｌ１、Ｌ２との間での熱と物質の少なくとも一方の交換のためのカラム用ディストリビュータトレイ２であって、気体ＬＧがトレイ２を通過するようにトレイ２の上側部分から突き出している少なくとも１個のケーシング４と、液体Ｌ１、Ｌ２がトレイ２を通過するようにする少なくとも１個の手段１４と、を有し、ケーシング４は気体ＬＧ用の少なくとも１個の発泡手段を有するディストリピュータトレイ２。そのようなディストリビュータトレイ２を備える交換カラムと、カラムの使用とに関する。【選択図】図４
2016117060.tif 000002
【特許請求の範囲】
【請求項１】
気体と液体との間での熱と物質の少なくとも一方の交換のためのカラム用ディストリビュータトレイであって、 
前記気体が該トレイを通過するように該トレイ（２）の上側部分から突き出している少なくとも１個のケーシング（４）と、 
前記液体が前記トレイ（２）を通過するようにする少なくとも１個の手段（５、１４）と、 
を有し、 
前記ケーシング（４）は前記気体用の少なくとも１個の発泡手段（１５、１６、１７）を有することを特徴とする、
トレイ。
【請求項２】
前記ケーシング（４）は実質的に平行６面体である、請求項１に記載のトレイ。 
【請求項３】
前記発泡手段は前記ケーシングの少なくとも１個の弁（１５）と少なくとも１個のスロット（１７）の少なくとも一方を有している、請求項１または２に記載のトレイ。 
【請求項４】
前記スロット（１６、１７）は実質的に長方形である、請求項３に記載のトレイ。 
【請求項５】
前記スロット（１７）の長さ方向は、前記ケーシング（４）の長さ方向に実質的に垂直である、請求項４に記載のトレイ。 
【請求項６】
前記スロット（１７）の長さ方向は、前記ケーシング（４）の長さ方向に実質的に平行である、請求項４に記載のトレイ。 
【請求項７】
前記スロット（１７）はキャップ（１６）で覆われている、請求項３から６のいずれか１項に記載のトレイ。
【請求項８】
前記弁（１５）は実質的に長方形である、請求項３に記載のトレイ。 
【請求項９】
前記弁（１５）は実質的に円柱状である、請求項３に記載のトレイ。 
【請求項１０】
前記液体通過手段は、複数の孔（５）と複数の煙突部（１４）の少なくとも一方を有している、請求項１から９のいずれか１項に記載のトレイ。 
【請求項１１】
複数の前記煙突部（１４）は該トレイの前記上側部分と該トレイの下側部分の少なくとも一方からから突き出している、請求項１０に記載のトレイ。 
【請求項１２】
該トレイは該トレイにわたって均等に分散している複数の液体通過手段（５、１４）を有している、請求項１から１１のいずれか１項に記載のトレイ。
【請求項１３】
気体と液体との間での熱と物質の少なくとも一方の交換のためのカラムであって、２種類の前記流体がパッキング（３）によって接触し、該カラムは、２種類の前記流体を前記パッキング（３）上に分配する、請求項１から１２のいずれか１項に記載の少なくとも１つのディストリビュータトレイ（２）を有していることを特徴とする、カラム。
【請求項１４】
気体処理、ＣＯ２捕捉、蒸溜、脱水、または空気変換プロセスにおける、請求項１３に記載のカラムの使用。
【発明の詳細な説明】
【技術分野】
【０００１】
本発明は、気体／液体接触カラムの分野に関し、特に、気体処理ユニット、ＣＯ２捕捉ユニット、脱水ユニット、または蒸溜ユニットのためのカラムに関する。
【背景技術】
【０００２】
アミン洗浄プロセスを使用する気体処理ユニット、アミン洗浄プロセスを使用するＣＯ２捕捉ユニット、蒸溜ユニットおよび脱水ユニットの少なくともいずれかは、気体と液体の間の物質と熱の少なくとも一方の交換のための複数のカラムを有している。これらのカラムは、たとえば、液体状または気体状の流体を吸収し再生する複数のカラムとすることができ、向流または並流の気体／液体の流れの複数の条件下で動作する。
【０００３】
これらの気体処理ユニット、ＣＯ２捕捉ユニット、蒸溜ユニット、および脱水ユニットの少なくとも１つで使用される複数のカラムは、複数のカラム内を循環する気体と流体との間の物質の交換と熱の交換との少なくとも一方の原理の下で一般的に動作する。図１は、ディストリビュータトレイ２を備えている気体処理カラム上部１の特定の場合を示している。従来、この気体処理カラム１は、コンタクタで満たされている数個の部分３を有しており、ディストリビュータトレイ２は各部分３の上方に配置されている。気体／液体コンタクタは、熱交換ができるように気体Ｇを液体Ｌに接触させる。
【０００４】
たとえば、吸収／再生または蒸溜用の複数のカラムで使用される標準的な複数のディストリビュータトレイ２は、気体がトレイを通過できるようにする複数のケーシング４（煙突部とも呼ばれる）を備えているコレクタ／ディストリビュータトレイからなる（図２を参照）。液体の分配は、流体がトレイ２の下部に備わっている複数の孔５を通過することによって発生し、気体の分配はケーシング４を通して発生する。各ケーシング４は、向流または並流動作モードに従って、気体がカラムの下部からカラム１の上部へ、または上部から下部へ通過できるようになる。複数のケーシング４はトレイ２の一方の側から突き出しており、トレイ２に対して垂直である。各ケーシング４は、トレイ２のいずれかの側で開いている内側容積を区切る例えば平行６面体または円柱状の数個の壁からなる。液体が複数のケーシング４に流入するのを防止するために、トレイ（向流または並流モードに従って）の上方で開いている気体出口または入口は、キャップ（ベベルとも呼ばれる）によって覆われることが好ましい。ディストリビュータトレイの目的は、液体Ｌを気体／液体コンタクタ３にわたって均一に分配することである。
【０００５】
気体と液体との間の交換を最適化するために、多くのディストリビュータトレイが開発されてきた。これらのディストリビュータ／コレクタトレイは、主に以下の２つの大きな集団に分けることができる。
【０００６】
−特許文献１、特許文献２、特許文献３、特許文献４、特許文献５、特許文献６に記載されているような複数の煙突部を備えているディストリビュータ／コレクタ装置。この種類の複数の煙突部を備えている装置については、液体は、トレイ上に設けられている複数の孔または複数の孔または複数のスロットを備えている複数の液体通路煙突部（図２の例を参照）を介して分配され、気体は複数の気体通路煙突部またはケーシングを通して分配される。 
−特許文献７、特許文献８、特許文献９、特許文献１０、特許文献１１、特許文献１２に記載されているような専用の供給装置（上流収集装置また中間供給）を通して供給されるディストリビュータケーシングを備えている装置、または特許文献１３、特許文献１４、特許文献１５に記載されているような複数の気体通過ケーシングを備えているディストリビュータ／コレクタ装置。 
【０００７】
しかし、これらの液体分配装置は、カラム内の物質と熱の少なくとも一方の交換には貢献せず、そのため、複数の流体の間の交換が発生しないカラムの高さを表している。したがって、これらの装置は、カラムの効率としての「高さ損失」を表している。
【０００８】
さらに、従来技術において、交換トレイ型式のコンタクタが公知である。これらのトレイによって、複数の流体間の熱と物質の交換が可能になり、トレイは複数のトレイ間のコンタクタなしに、カラム内で互いに重ねられている。これらのトレイは分配を目的としていない。
【０００９】
図３は、通常の交換トレイの動作モードを示している。
液体は、上側のトレイ７ａから下側のトレイ７ｂに上側の下降管６を通して流れ、それからトレイ７ｂの交換領域に沿って流れ、それから下側の下降管９に向けてダム８を越えて流れる。下側のトレイ１０からの気体は、トレイ７ｂ上に設けられている複数の弁または複数の穿孔（不図示）を通してカラム内を向流として流れる。気体は、交換領域６において泡を形成し、上側のトレイ７ａに到達する前に、領域１２と１３内で液体から分離される。複数の交換コンタクタトレイの複数の下降管は、シングルパストレイの場合にはトレイの周辺上に従来配置されているが、マルチパストレイについてはカラムの直径に依存して中央の複数の領域に配置することができる。
【００１０】
多くのトレイコンタクタの変形例がある。第１の型式は、特許文献１６、１７、１８に記載されているような弁トレイである。第２の型式は、特許文献１９、２０に示しているような穿孔トレイである。
【先行技術文献】
【特許文献】
【００１１】
【特許文献１】イギリス特許明細書公開第１，１６９，８７８号
【特許文献２】米国特許明細書第４，８０８，３５０号
【特許文献３】米国特許明細書第４，４７２，３２５号
【特許文献４】米国特許明細書第４，４２７，６０５号
【特許文献５】米国特許明細書第４，８３９，１０８号
【特許文献６】フランス特許発明明細書第２，２０３，６５９号
【特許文献７】米国特許明細書第４，９０９，９６７号
【特許文献８】米国特許明細書第４，８１６１９１号
【特許文献９】米国特許明細書第４，９８１，２６５号
【特許文献１０】ドイツ特許発明明細書第２，７５２，３９１号
【特許文献１１】ＰＣＴ特許出願公開明細書第８，８０２，６４７号
【特許文献１２】フランス特許発明明細書第２，５６９，１２９号
【特許文献１３】米国特許明細書第４４，６８９，１８３号
【特許文献１４】米国特許明細書第５，１３２，０５５号
【特許文献１５】米国特許明細書第４，４３２，９１３号
【特許文献１６】ＰＣＴ特許出願公開明細書第９，９２４，１３５号
【特許文献１７】カナダ特許発明明細書第１，２５３，４３２号
【特許文献１８】米国特許明細書第３，３９９，８７１号
【特許文献１９】米国特許明細書第４，５０４，４２６号
【特許文献２０】米国特許明細書第５，２１３，７１９号
【発明の概要】
【発明が解決しようとする課題】
【００１２】
しかし、そのような交換トレイは、特にコンタクタ（パッキング）への供給については、液体の良好な送達と良好な分配を保証しない。そのようなトレイは、ディストリビュータトレイとして使用できない。
【課題を解決するための手段】
【００１３】
本発明は、気体と液体の間の物質と熱の少なくとも一方の交換用のカラムのコレクタ／ディストリビュータ／交換器トレイに関する。発泡手段は、乳化領域をディストリビュータ／交換器トレイの上側部分に発生させることができる。したがって、本発明のディストリビュータ／交換器トレイは、液体の良好な分配を保証しながら、２種類の流体間での物質と熱の少なくとも一方の交換を増加させることができる。
【００１４】
本発明は、気体と液体との間で熱と物質の少なくとも一方の交換のためのカラム用ディストリビュータトレイであって、気体がトレイを通過するように、トレイの上側部分から突き出している少なくとも１個のケーシングと、液体がトレイを通過することを許す少なくとも１個の手段とを有しているトレイに関する。ケーシングは気体用の少なくとも１個の発泡手段を有している。
【００１５】
本発明によれば、ケーシングは実質的に平行６面体である。
【００１６】
本発明の一態様によれば、発泡手段はケーシングの少なくとも１個の弁と少なくとも１個のスロットの少なくとも一方を有している。
【００１７】
スロットは実質的に長方形であることが有利である。
【００１８】
本発明の変形例によれば、スロットの長さ方向は、ケーシングの長さ方向に実質的に垂直である。
【００１９】
その代わりに、スロットの長さ方向は、ケーシングの長さ方向に実質的に平行である。
【００２０】
一実施態様によれば、スロットはキャップに覆われている。
【００２１】
本発明の特徴によれば、弁は実質的に長方形である。
【００２２】
代替の態様によれば、弁は実質的に円柱状である。
【００２３】
液体通過手段は、複数の孔と複数の煙突部の少なくとも一方を有していることが好ましい。
【００２４】
複数の煙突部はトレイの上側部分とトレイの下側部分の少なくとも一方からから突き出していることが有利である。
【００２５】
本発明の一態様によれば、トレイはトレイにわたって均等に分散している複数の液体通過手段を有している。
【００２６】
さらに、本発明は、気体と液体との間での熱と物質の少なくとも一方の交換のためのカラムであって２種類の流体がパッキンによって接触しているカラムに関する。カラムは、２種類の流体をパッキング上に分配できるようにする少なくとも１個の本発明のディストリビュータトレイを有している。
【００２７】
本発明は、気体処理、ＣＯ２捕捉、蒸溜、脱水、または空気変換プロセスへの本発明のカラムの使用にも関する。
【００２８】
本発明の装置のその他の特徴と利点とは、添付の図面を参照して、非限定的な例により説明する実施形態の以降の説明を読むことで明らかになろう。
【図面の簡単な説明】
【００２９】
【図１】ディストリビュータトレイを備えている気体処理つまりＣＯ２捕捉カラム上部の特定の場合を示している前述の図である。
【図２】従来技術のディストリビュータトレイの前述の図である。
【図３】従来技術のトレイタイプコンタクタの前述の図である。
【図４】本発明の実施形態のディストリビュータトレイの図である。
【図５ａ】本発明の変形例のディストリビュータトレイの一部の図である。
【図５ｂ】本発明の変形例のディストリビュータトレイの一部の図である。
【図５ｃ】本発明の変形例のディストリビュータトレイの一部の図である。
【図５ｄ】本発明の変形例のディストリビュータトレイの一部の図である。
【図５ｅ】本発明の変形例のディストリビュータトレイの一部の図である。
【発明を実施するための形態】
【００３０】
本発明は、気体と液体との間で熱と物質の少なくとも一方を交換するためのカラム用のディストリビュータトレイであって、トレイの上側部分から突き出しているケーシングなどのトレイを通して気体を通過させる少なくとも１個の手段と、トレイを通して液体を通過させる少なくとも１個の手段とを従来は有しているトレイに関する。ディストリビュータトレイは、その上側表面上に液体ガード、つまりトレイの上側表面上の液体の高さを構成することができる。複数のケーシングがトレイの上側部分から突き出している（カラムの上部に向いている）。本発明のディストリビュータトレイは、熱と物質の少なくとも一方の交換カラム内の２種類の向流、つまり、複数のケーシングを通した上向きに流れる気体、および複数の煙突部と分配手段とを通して下向きに流れる液体に適している。従来は、ディストリビュータ／交換器トレイは実質的に円柱状である。
【００３１】
本発明によれば、少なくとも１個のケーシングが気体発泡手段を有している。全てのケーシングは、２種類の流体間で熱と物質の少なくとも一方の交換を増加させるように気体発泡手段を有していることが有利である。あるいは、交換と滞留との間の妥協点を最適化するようにあるケーシングだけが発泡手段を有している。気体発泡手段によって、気体が気体発泡手段を横断するときに、トレイの上側の表面上の液体ガード内で気体の泡を発生させることができるようにし、それによって、泡の形態の液体と気体との間の物質と熱の少なくとも一方の伝達を発生可能な乳化領域を発生させる。したがって、コンタクタ内で行われる交換に加えて、トレイの有用な高さも熱と物質の少なくとも一方の交換に貢献する。そのため、分配装置は、カラムの効率に関して、「高さの損失」がないことを表している。そのため、そのようなディストリビュータトレイを収容しているカラムは、高さを減少させることが可能で、それによってカラムのコストを下げることを可能にする。
【００３２】
気体発泡手段は、複数のケーシングの上側部分内、特に複数のケーシングの水平な上側の壁上に配置されていることが好ましい。気体発泡手段は、開いた時に気体の泡を発生させる弁を有している。弁は、気体の圧力によって開き始める。弁は、軸線を中心に回転可能な部品を有することができる。あるいは、弁は、トレイに対して垂直方向に直動する部品を有することができる。他の実施形態によれば、気体発泡手段は、複数のスロットをケーシング内に有することができる。あるいは、トレイは少なくとも１個のベントと少なくとも１個のスロットとを同時に有している複数の発泡手段を有している。複数のスロットが、圧力低下を最小にし、滴下（ケーシング内に流入する液体）を制限するように泡を直接発生する適切な形状と適切な寸法の少なくとも一方を有することができることが有利である。スロットは、長方形、円形、楕円形、３角形等のさまざまな形状を有することができる。泡の形成を増加させるために、スロットは、スロットの上方に配置され、ケーシングに対して隆起しているキャップによって覆うことができる。キャップは、液体がケーシングに進入するのを防止することもできる。
【００３３】
気体通過ケーシングは、向流モードで動作しているカラムに対して、トレイの下側から上部へ気体を通過させる。気体通過ケーシングは、気体を通過させる広い開口を実現し、したがって圧力の低下を限定するように、実質的に平行６面体の形状を有していることが有利である。さらに、ディストリビュータトレイが数個の気体通過ケーシングを有している場合、互いに平行に配置することができる。複数の気体通過ケーシングは、発泡装置を備えている。
【００３４】
発泡手段がトレイと同じ高さに配置される場合と異なり、そこから（そしてそのため発泡手段から）突き出している複数のケーシングは、液体の分配と流れを乱さないようにすることが可能で、それによって一様な液体の分配を促進する。
【００３５】
複数のケーシングは、浸されるのに適している、つまり、高さはトレイの上側の表面に設けられている液体ガードの高さよりも低い。したがって、泡の形態の気体は、液体内に噴射される。
【００３６】
液体通過手段は、トレイの上部から下側へ液体を通過させる。本発明の実施形態によれば、トレイを通して液体を通過させる手段は、トレイの上側と下側の少なくとも一方から突き出している一式の煙突部からなる。複数の煙突部は実質的に円柱状とすることができる。本発明の他の実施形態によれば、トレイを通して液体を通過させる手段は、トレイ内に設けられている一連の孔からなる。本発明の他の実施形態によれば、トレイを通して液体を通過させる手段は、複数の煙突部と複数の孔の両方を有している。これらの液体通過手段は複数の気体通過ケーシングの間に配置されている。液体通過手段の数は、気体通過ケーシングの数よりも多いことが有利である。液体通過手段のピッチは、３角形または正方形とすることができる。コンタクタ（パッキング）上での液体の良好な供給と良好な分配とを実現するために、液体通過手段は、ケーシングの間で、トレイにわたって均等に配置されている、つまりトレイの表面全体に配置されている。
【００３７】
標準的な動作条件下では、液体通過手段は、複数のケーシングの高さの位置の上側のトレイ上の液体ガードを保証するのに十分な液体の流量を有することができるようにする。
【００３８】
図４は、本発明のディストリビュータ／交換器トレイの第１の実施形態の図である。図４は、ディストリビュータ／交換器トレイの一部の断面図である。
【００３９】
本発明の第１の実施形態は、トレイを通して気体を通過させる少なくとも１個のケーシング４と少なくとも１個の気体発泡手段と、少なくも１個の液体分配装置１４とを従来は有している気体と液体との間の物質と熱の少なくとも一方の交換のためのカラム用のディストリビュータ／交換器トレイ２に関する。図４の非限定的な例によれば、気体発泡手段は、乳化領域ＬＧを液体ガード内に生成できるようにし、したがって、トレイの上側部分上での流体間の交換を可能にする弁１５とすることができる。しかし、発泡手段は、前述のような他の手段からなることができる。ディストリビュータトレイ２は、その下側領域に高さがＬ１の液体ガードを形成することができるようにする。
【００４０】
図４の非限定的な例によれば、液体通過手段は、トレイの下側部分から突き出している煙突部１４である。しかし、液体通過手段は、他の手段、特にトレイ２に設けられている複数の孔からなることができる。
【００４１】
本実施形態については、ケーシング４と発泡装置１５がトレイ２の上側部分から突き出している（カラムの上部に向いている）のに対して、液体分配装置１４はトレイ２の下側部分から突き出している（カラムの底部に向いている）。
【００４２】
ケーシング４と発泡手段１５は、向流モードで動作しているカラムに対して、トレイの下側から上側への気体の通過を許す。気体通過ケーシング４は気体発泡手段１５が配置されている実質的に平行６面体の形状を有していることが有利である。
【００４３】
図５ａから５ｅは、非限定的で非網羅的な例として、本発明のディストリビュータ／交換器トレイの５個の変形例を示している。図５ａから５ｅは、ディストリビュータ／交換器トレイの一部の断面図である。
【００４４】
これらの変形例については、液体通過手段は、トレイ２内に設けられている複数の孔５である。しかし、これらの変形例は、たとえば前述のような液体通過手段の他の複数の実施形態と組み合わせることが可能で、液体通過手段は特に複数の煙突部とすることができる。
【００４５】
図示のように、複数のケーシング４は実質的に平行６面体の形状を有している。しかし、これらの変形例は、円柱状、立方体状、６面体状などの他のケーシングの形状にも適するようにすることができる。
【００４６】
図５ａの変形例によれば、気体発泡手段は各ケーシング上に配置されている一連の円柱状の弁１５を有している。複数の弁１５はケーシングにわたって均等に分配できることが好ましい。あるいは、複数の弁は、他の形状、特に長方形（ｒｅｃｔａｎｇｕｌａｒ）の形状を有することができる。さらに、各ケーシングは、１個の弁１５を有することができる。
【００４７】
図５ｂの変形例によれば、気体発泡手段は、気体通過ケーシングの実質的な長さを有している平行６面体のスロットの形状である。図示のように、スロットはケーシングに対して隆起しているキャップ１６によって覆うことができる。キャップ１６は、気体の泡の形成に貢献している。
【００４８】
図５ｃ、５ｄ、および５ｅの変形例によれば、気体発泡手段は、複数の長方形のスロット１７の形態である。図５ｃの変形例については、複数のスロット１７はケーシング４の主方向（長さ方向）に沿って配置されている。非限定的な例として示しているように、各ケーシング４は複数の一連の数個のスロット１７を有することができる。図５ｄの変形例については、複数のスロット１７はケーシング４の主方向（長さ方向）に対して垂直に配置されている。各ケーシング４は、複数の一連の数個のスロット１７を有することができる。図５ｅの実施形態において、複数のスロット１７は、数個の一連の互い違いの列の形態に配置されている。複数のスロット１７は、ケーシング４の主方向に配置されている。
【００４９】
これらの例は、網羅的ではなく、気体発泡手段については他の実装も考え得る。
【００５０】
本発明は、２種類の流体の間の物質と熱の少なくとも一方の交換用のカラムにも関し、２種類の流体は少なくとも１個の気体／液体コンタクタによって接触し、カラムは少なくとも液体状流体用の第１の入口と、気体状流体用の少なくとも第２の入口と、気体状流体用の少なくとも第１の出口と、液体状流体用の少なくとも第２の出口を有している。カラムは、コンタクタにわたる複数の流体の分配を可能にする前述のような少なくとも１個のディストリビュータ／交換器トレイも有している。
【００５１】
カラムは、コンタクタを含んでいる数個の部分を有しており、前述のようなディストリビュータトレイが各部分に配置されていることが好ましい。
【００５２】
コンタクタ内で発生する交換に加えて、各トレイの有用な高さも熱と物質の少なくとも一方の交換に貢献しており、交換カラムはカラムの効率に関して、「高さの損失」がない。したがって、そのようなディストリビュータトレイを含んでいるカラムはより低くすることが可能で、それには空間の削減の要件とカラムのコストの削減が伴う。
【００５３】
気体／液体コンタクタは、構造化されたパッキングベッドであることが有利である。あるいは、気体／液体コンタクタは、無作為のパッキングベッドである。
【００５４】
気体と液体とは、カラム内を向流モードで流れることが好ましい。
【００５５】
本発明のカラムは、気体処理、ＣＯ２捕捉（たとえばアミン洗浄を使用）、蒸溜、脱水、または空気変換プロセスに使用することができる。さらに、本発明は、任意の種類の溶媒と共に使用することができる。
【００５６】
実施例
本発明の利点を示すために、本発明を備えている吸収カラムを使用して得られた結果と従来技術のカラムを使用して得られた結果とを比較する。これは、吸収装置の出口での２％の目標仕様（スペック）を達成するための天然ガスの酸化化合物ＣＯ２の脱酸の場合である。本方法は、気相（天然ガス）と液相（溶媒）用の構造化パッキングとディストリビュータ／コレクタトレイを備えている反応吸収カラム内でメチルジエタノールアミン（ＭＥＤＡ）タイプの４０重量％のアミン溶剤を使用する。本発明と従来技術の吸収カラムの特性を以下で説明する。
【００５７】
従来技術によるカラムの特性
−従来技術のコレクタ／ディストリビュータトレイの数：５
−コレクタ／ディストリビュータトレイの高さ：１ｍ
−構造化パッキングベッドの数：４
−パッキングの有効表面積：２５０ｍ２／ｍ３
−ベッドあたりの高さ：８ｍ
−溶媒流量：ＱＬ＝４６ｍ３／ｍ２／ｈ
−気体流量：Ｆｓ＝２（ｍ／ｓ）（ｋｇ／ｍ３）０．５
−圧力：４０ｂａｒ
−温度：４０℃
−入口での供給物のＣＯ２濃度：８％
【００５８】
本発明によるカラムの特性
−従来技術のコレクタ／交換器トレイの数：５
−コレクタ／ディストリビュータトレイの高さ：１ｍ
−構造化パッキングベッドの数：４
−パッキングの有効表面積：２５０ｍ２／ｍ３
−ベッドあたりの高さ：８ｍ
−溶媒流量：ＱＬ＝４６ｍ３／ｍ２／ｈ
−気体流量：Ｆｓ＝２（ｍ／ｓ）（ｋｇ／ｍ３）０．５
−圧力：４０ｂａｒ
−温度：４０℃
−入口での供給物のＣＯ２濃度：８％
【００５９】
得られた性能を、カラムの様々な段階での供給物におけるＣＯ２濃度の変化を示している表１に示している。段階は、パッキングベッドとディストリビュータトレイとを統合するカラムの高さに対応している。結果は、本発明のコレクタ／ディストリビュータ／交換器トレイを使用することによって、吸収カラムにおけるより高い伝達効率が可能になることを示している。実際に、本発明によって、従来のカラムに比べてより低い高さで仕様が達成される。コレクタ／ディストリビュータ／交換器トレイを備えている吸収カラムは、吸収器の全高が約６ｍ、つまり約１５％の減少する際だったカラムの高さについての利点をもたらす。
【００６０】
【表１】
2016117060.tif 000003
【図４】
2016117060.tif 000004
【図５ａ】
2016117060.tif 000005
【図５ｂ】
2016117060.tif 000006
【図５ｃ】
2016117060.tif 000007
【図５ｄ】
2016117060.tif 000008
【図５ｅ】
2016117060.tif 000009
【図１】
2016117060.tif 000010
【図２】
2016117060.tif 000011
【図３】
2016117060.tif 000012